(57)【要約】      （修正有）【課題】弱視の方や、視力の落ちたお年寄りの方にも容易に時間の読み取りが可能となり、夜間照明を付けずに見ることができる。【解決手段】時計の文字盤上の長短２本の針を無くし、文字盤上の目盛り一つ一つを鍵盤式にし、鍵盤の長短を使用し、長い鍵盤の間に四本短い鍵盤を挟み、長い鍵盤の中に色分けした三個の電球を入れ、それらが点灯した処で時間と、分を表現する。また短い鍵盤には電球一個にて分を表現する。【選択図】なし【特許請求の範囲】
【請求項１】
時計の文字盤表面の目盛りを鍵盤式にし、その鍵盤一つ一つに電球（白色及び色付き）を１個から３個入れ、時分を目盛りの明かりの付いている箇所が、針の替わりを果たすことで時を表現する。
【請求項２】
電球そのものは一つ一つの鍵盤の中で発光させるものと、鍵盤一つ一つの裏側で発光するものもその範囲とする。
【請求項３】
文字盤そのもの（表面）は凹凸面型による鍵盤式や、フラット面、又図面上では長短鍵盤で説明してありますが、長短の区別もすること無く、それらもその範囲とし、そのフラット面に使用する材料に直接プリント（印刷）し、鍵盤式に見えるものもその範囲とする。
【請求項４】
文字盤の形は、円形や角型にとらわれる事なく自由自在縦・横・斜め（右肩上がり）に、時を表現する文字盤が可能となる。又時計には、腕時計、置時計、掛時計と大別されるが、ここでの時計とはそれらの物を指し、建築物の壁面や建物等の塔に付ける大型の物も含む事とする。
【発明の詳細な説明】
【発明の属する技術分野】
この考案は、時計の時（時間）の表現方法を鍵盤式にするものである。
【従来の技術】
従来より時の表現には、針の長短を回転させ針の指している目盛りを読み取る方法であり、針を回転させる方法をとっている為、時を表現する文字盤の形が円形及び四・六・八角（以下円形及び四角形という）とある程度形に制約があり、型にはまったいる処に欠点があり、弱視の方やお年寄り方に見にくい等の欠点もある。又最近ダイレクト数字（デジタル式）で表現するものもあるが四角形と、その変形（長方形）と型にはまっている。掛ける場所や、置き場所に制約があり、インテリアとしての自由さに欠ける
【発明が解決しようとする課題】
長短２本の針による回転させる方式には円形や四角形でならなければし、従来の形にとらわれる事なく、横長や縦長等のデザインもも可能となりデザイン的に制約がなくなり種類が増える。又その針を無くし、針の役目をするものが電球による発光であることから、弱視の方や、視力の落ちたお年寄りの方等に容易に見易くなるとおもわれる。数字式で表すものも四角形又は長方形を型どっていなければならない。
本考案は以上の欠点を解決することを目的とする。
【課題を解決するための手段】
（イ）時計の文字盤上長短２本の針を取り去り、目盛り一つ一つに電球（白色、色付き）を入れ、時間を目盛りの電球が発光した個所により、時間を表す事とする。
（ロ）文字盤の形（円形や角型）や大きさにとらわれる事なく、自由自在な発想が可能になる。あえて円型（図面上は横型）もある。
例としてグランドピアノ型のデザインもが可能となり、グランドピアノ型が壁に掛かっていたらインテリアとしてもポイントとなり良いと考える。
本考案は、以上の構成である
【作用】
時間を鍵盤式表現方式を採用する事で、鍵盤を横一線に並べるばかりでなく、縦や斜めにする（右肩上がり）とか、針を回転させる物では不可能であった事が、この考案により従来無かった形までもが可能となり、一つ一つの目盛りに照明が入ることで弱視の方や、視力の落ちたお年寄りの方にも容易に時間の読み取りが可能となる。また夜間寝ているときふと目が覚めて時間を見る場合、鍵盤式時計なら照明を付けずに見ることができる。
【実施例】
以下、図について説明する。
（イ）第一図は本考案の全体である。鍵盤の長短を使用し、長い鍵盤の間に四本短い鍵盤挟み、長い鍵盤の中に色分けした三個電球（午前、午後、分それぞれ表現）を入れ、それらが点灯した処で時間と、分を表現する事とする。また短い鍵盤には電球一個にて分を表現するものとする。
（ロ）第二図はＡ矢印断面立面図である。蓋、文字盤（中間）、裏と３枚の板で構成され、蓋板は光を通す半透明材（例えばアクリル板）を使用し、中間板は発光した光が隣に影響を与えないよう、遮光性材を使用して鍵盤一つ一つを仕切り明確にする。裏板には、電球・基盤・回路・ムーブメント等を取り付ける。
（ハ）第三図はＢ矢印平面図である。電球それぞれの特性と回路の略図です。ムーブメントより送られてくる電気信号を各々の基盤（電球）が受信し、受信した基盤が電球に光をスイッチオンの状態となり電球が発光し、時間と分を表現する事とする。
以上が本考案の構成である。
2004226387.tif 000002
2004226387.tif 000003
2004226387.tif 000004
【手続補正書】
【提出日】平成15年2月13日(2003.2.13)
【手続補正１】
【補正対象書類名】明細書
【補正対象項目名】特許請求の範囲
【補正方法】変更
【補正の内容】
【特許請求の範囲】
【請求項１】
時計の文字盤表面の目盛りを鍵盤（独立式及び連続式）とし、その鍵盤一つ一つに電球（白色及び色付き）を１個から３個入れ、時分を目盛りの明かりの付いてる箇所が、針の替わりを果たすことで時を表現する。
【請求項２】
電球そのものは一つ一つの鍵盤の中で発光させるものと、鍵盤一つ一つの裏側で発光するものもその範囲とする。
【請求項３】
文字盤上（表面）は凹凸面型による鍵盤式や、フラット面、又図面上では長短鍵盤で説明してありますが、長短の区別もすること無く、それらもその範囲とし、そのフラット面に使用する材料に直接プリント（印刷）し、鍵盤式に見えるものもその範囲とする。（ピアノの鍵盤のように独立しているものと連続式）
【請求項４】
文字盤の形は、円形や角型にとらわれる事なく自由自在、縦・横・斜め（右肩上がり）に、時を表現する文字盤が可能となる。又時計には、腕時計、置時計、掛時計と大別されるが、ここでの時計とはそれらの物を指し、建築物の壁面や建築物の塔に付ける大型の物も含む事とする。
【手続補正書】
【提出日】平成15年10月14日(2003.10.14)
【手続補正２】
【補正対象書類名】明細書
【補正対象項目名】発明の詳細な説明
【補正方法】変更
【補正の内容】
【発明の詳細な説明】
【０００１】
【発明の属する技術分野】
この考案は、時計の時（時間）の表現方法の文字盤を、鍵盤式にするものである。
【０００２】
【従来の技術】
従来より時の表現には、文字盤上を長短２本の針を回転させ、その長短の針の指している処の目盛りを読み取る事で、時間の情報を得る方法であり、長短の針を回転させる方法を採っている為、時を表現する文字盤の形が、円形及び四・六・八角形（以下円形及び四角形と言う）と、ある程度形に制約があり、型にはまっている処に欠点があり、弱視の方や、お年寄りで視力の落ちた方などに読み取り難い等の欠点もある。
又最近、デジタル式で表現するものもあるが、四角形とその変形（長方形）と型にはまっている処に欠点がある。置き場所や掛ける場に制約があり、インテリアとしての自由さに欠ける処にも欠点がある。
【０００３】
【発明が解決しようとする課題】
長短２本の針による回転させる方式には、円形や四角形でなければならない。鍵盤式は電球（発光ダイオード等も含む）によって発光した処が針の代役であり、回転させなければならないといった従来の形にとらわれる制約は無く、横長や縦長等のデザイン的に、その種類が増える。
又、その針を無くし、針の役目をするものが電球による発光式である事から、見易くなる事から、弱視の方や視力の落ちたお年寄りの方等にも、容易に時間の情報が得られる事からメリットも多い。デジタル式で表すものも四角形及び長方形を型どっていなければならないところに欠点がある。
本考案は以上の欠点を解決することを目的とする。
【０００４】
【課題を解決する為の手段】
時計の文字盤上にある時間を告げる長短２本の針を取り去り、文字盤にある目盛り一つ一つをピアノの鍵盤のように区分けされたものとし、その鍵盤の中に時計の針の役割を果たす電球を１個から３個（白色及び色付き）入れ、時間を鍵盤（目盛り）の中に組み込まれた各々の電球が発光するシステムとし、発光した処が針の代役を果たし時間を表現し、それらを読み取る事で時間の情報を得る。又、文字盤の形（円形や四角形）や大きさにとらわれる事なく、デザインの幅が広がり様々な形が考えられる。本考案は、以上の構成である。
例として、グランドピアノ型のデザインも可能となり、グランドピアノ型の時計が壁に掛けてあると、インテリアとしてもかなり良いポイントなるだろう。
【０００５】
【作用】
時間の表現に鍵盤式時計にする事で、鍵盤を横一列に並べるばかりでなく、縦型や右肩上がりの斜めや、敢えて円形や四角形にすることも可能である。針を回転させる方式では不可能であったデザインが可能となる。鍵盤（目盛り）一つ一つに照明が入り発光することで読み取り易くなり、弱視の方や、高齢者社会の現状の今、視力の落ちたお年寄りの方にも、容易に時間の読み取りが可能となる。又夜間寝ている時、ふと目が覚めて時計を見る場合、鍵盤式時計なら照明を付けずに、時間を確認する事が出来るこのようなメリットがある。


【手続補正３】
【補正対象書類名】明細書
【補正対象項目名】図面の簡単な説明
【補正方法】追加
【補正の内容】
【図面の簡単な説明】
【図１−１】平面図である。本考案の全体図であり、敢えて横長図で示しました。
【図１−２】
蓋板（Ｊ）を取り去った図面である。時間を表す電球を配列した図である。
【図２】立体図（図１−１矢印の断面図）である。鍵盤式時計の鍵盤と電球の位置関係を図面としたが１７鍵盤目以降は、以下同文的なので部分図とした。
【図３】平面部分図である。各鍵盤と電球の位置関係を配列した部分図である。
【符号の説明】
Ａ  通常の時計の文字盤上から、長短２本の針を取り去り、横型一列図で記した。
Ｂ  時間を読み取るときの数字、数字及び記号の場合のがある。
Ｃ  長鍵盤。通常文字盤上に数字がある箇所の目盛りは大きめのもので記してある。又、見易さと読み取り易さの為長い鍵盤とした。
Ｄ  短鍵盤。何時何分の、分のみの単位を表す目盛りとする。
Ｅ  時間を表す電球。記号Ｂを午前・午後の時間帯をそれぞれの時間を表す。
図３のＥでは、通常時計の１２の位置は一番上にある。１２の数字より始まり右に１，２，３，４，並び、時間を表す数字と電球との位置関係を示した。
Ｆ  青色電球。午前を表す色とし、長鍵盤１２個の上段に位置する。
図３のＦでは通常時計の針の短い針の代役を果たし、午前を一目見ても理解し易くするよう、午前午後の色で区分けした。（図３のＧも同様）
Ｇ  赤色電球。午後を表す色とし、長鍵盤１２個の中段に位置する。
Ｈ  白色電球。時間の分を表す色とし、長鍵盤１２個の下段、短鍵盤４８個全てに位置する。１分毎に右に移動する。
Ｉ  ムーブメント収納スペース。この時計のコントロール機能を司る。
Ｊ  蓋板。鍵盤一つ一つの蓋である。光りを透し、電球のカバーの役割もある。
Ｋ  裏板。電球、基盤、回路、ムーブメント等の中枢機能を備える。
Ｌ  基盤。ムーブメントより送られてくる電気信号を受け、電球に発光指示を出す。
Ｍ  回路。ムーブメントより送られてくる電気信号を電流によって通す。


【手続補正４】
【補正対象書類名】図面
【補正対象項目名】全図
【補正方法】変更
【補正の内容】
【図１−１】
2004226387.tif 000005
【図１−２】
2004226387.tif 000006
【図２】
2004226387.tif 000007
【図３】
2004226387.tif 000008